(57)【要約】【課題】耐震性能を有し、採光性、透視性、意匠性を向上させることができるとともに、現場での施工性に優れ、かつ安定した耐震性能を発揮する耐震ガラスユニットパネルを提供する。【解決手段】本発明の耐震ガラスユニットパネル１０は、ガラス板４４と下地木材４８とからなるユニット品であり、これを製造工場にて組み立てて現場に搬送し、木造住宅１２の壁面開口部１４に取り付ける。そして、この耐震ガラスユニットパネル１０を釘３２、４２、５８を使用して壁面開口部１４に露出した小梁１６、窓台１８、柱２０、２２に固定し、耐力壁として構成する。耐震ガラスユニットパネル１０を構成するガラス板４４と下地木材４８は、相互に外力を伝達可能に一体化されているので、ガラス板４４の面内剛性をもって壁量を増やすことができる。すなわち、小梁１６、窓台１８、柱２０、２２に対してガラス板４４がその面内剛性により力を伝達することができる。【選択図】図２
2009293367.tif 000002
【特許請求の範囲】
【請求項１】
木造建築物の壁面開口部に取り付けられる耐震ガラスユニットパネルであって、
枠組みされた下地木材の枠内にガラス板が取り付けられ、前記下地木材と前記ガラス板とが相互に外力を伝達可能に一体化されたことを特徴とする耐震ガラスユニットパネル。
【請求項２】
前記ガラス板は、その端面がセッティングブロックを介して、または直接的に、前記下地木材に当接されることにより、前記下地木材と前記ガラス板とが相互に外力を伝達可能に一体化されている請求項１に記載の耐震ガラスユニットパネル。
【請求項３】
前記下地木材は四辺形に枠組みされ、その各辺がセッティングブロックを介して、または直接的に前記ガラス板の端面に当接している請求項２に記載の耐震ガラスユニットパネル。
【請求項４】
前記下地木材の各辺の接続部には、耐震用金物が取り付けられている請求項１〜３のいずれかに記載の耐震ガラスユニットパネル。
【請求項５】
前記木造建築物の躯体と前記下地木材とが耐震用金物を介して連結されている請求項１〜４のいずれかに記載の耐震ガラスユニットパネル。
【請求項６】
前記下地木材には、前記ガラス板の室外側に、他のガラス板を装着するサッシフレームが取り付けられている請求項１〜５のいずれかに記載の耐震ガラスユニットパネル。
【発明の詳細な説明】
【技術分野】
【０００１】
本発明は、木造建築物の壁面の耐震性を確保するために壁面の窓用開口部に取り付けられる耐震ガラスユニットパネルに関する。
【背景技術】
【０００２】
建築物の設計時には、それぞれ構造体の種類によって定められた手法により、耐震設計が行われる。例えば木造建築物では、耐震性を確保するための壁量設計によって、平面図の縦横それぞれの方向における、当該木造建築物の耐力壁の必要長さが決定される。
【０００３】
このような建築物に用いられる耐力壁としては、従来から柱、梁、及び土台で囲まれた架構面の開口部に筋交いを設けたり、柱及び梁に構造用合板を釘止めしたり、柱と梁や柱と土台にＬ字形状の耐震用金物を釘止めしたりした構造のものが知られている。このように一般的に用いられている耐力壁は、建築基準法施行令により壁倍率が定められており、「壁倍率×耐力壁の長さ」で算出される壁量が、前述の壁量設計値を満たすように耐力壁が設計される。なお、「耐力壁の長さ」とは、建築物の平面図上に示される長さのことである。
【０００４】
ところで、採光性を高めるために壁面に窓を施工する場合、壁面に窓用開口部を形成するとともに、この窓用開口部にサッシフレームを取り付け、このサッシフレームに窓ガラスを嵌め込んで構成するのが一般的である。
【０００５】
この場合、サッシフレームのみでは壁倍率を得ることができないため、その壁面を耐力壁に構成したい場合には、特許文献１の窓構造の如く、窓用開口部に筋交いを設けて所望の壁倍率を得るようにしている。すなわち、特許文献１には、外枠と内枠、及び筋交いであるブレス材とからなる耐震サッシが開示されており、この耐震サッシには引戸障子、網戸が設けられている。
【０００６】
また、特許文献２では、窓枠の隅部に耐震金物（隅部補強部材）を取り付けた窓部材が開示され、この耐震金物によって窓部材自体の剛性を高め、窓用開口部が形成された壁の壁量を増やしている。
【０００７】
更に、特許文献３では、軸組又は枠組の内側に、その内側を覆う多角形の面ガラスが固定された面ガラス固定構造が開示されている。この面ガラス固定構造は、軸組又は枠組の内周側を金属製枠体で構成し、面ガラス及び枠体よりも軟質で、かつ、枠体と面ガラスとに亘って外力を伝達可能なスペーサを、面ガラスにおける各側辺に沿う端面と枠体との間に、面ガラスのコーナー部から離間させて、その面ガラスに対して非接着状態で装着している。
【０００８】
なお、筋交いによる壁倍率については、筋交いの大きさにより１〜３、たすき掛けにした筋交いは２〜５であることが知られている（建築基準法施工令参照）。
【特許文献１】特開２００５−１３９８８４号公報
【特許文献２】特開２００７−２７７９３９号公報
【特許文献３】特開２００６−３７６２０号公報
【発明の開示】
【発明が解決しようとする課題】
【０００９】
しかしながら、特許文献１の窓構造は、筋交いであるブレス材によって壁倍率を得ることができるものの、ブレス材が窓ガラスを介して建築物の外からはっきりと大きく見えるため、採光性及び透視性が悪く、窓構造体として意匠性が劣るという問題があった。
【００１０】
また、特許文献２の窓部材は、窓枠の四隅に取り付けられた耐震金物のみによって壁量を増やす構造であるが、透湿防水シートや外壁下地の納まりが困難となるため耐震金物を厚くして強くすることができず、期待する程大きな壁倍率を得ることができないという問題があった。
【００１１】
更に、特許文献３では、面ガラスを建築構造部材として使用することが開示されているが、特許文献３の面ガラス固定構造は、面ガラスを現場に持ち込み、これを建築物の壁面開口部に施工するものである。所定の耐震性能が確保されるように面ガラスを現場施工で取り付けるのは容易でなく、よって、特許文献３の面ガラス固定構造では、耐震性能にバラつきが出やすいという問題があった。
【００１２】
本発明は、このような事情に鑑みてなされたもので、耐震性能を有し、採光性、透視性、意匠性を向上させることができるとともに、現場での施工性に優れ、かつ安定した耐震性能を発揮する耐震ガラスユニットパネルを提供することを目的とする。
【課題を解決するための手段】
【００１３】
本発明は、前記目的を達成するために、木造建築物の壁面開口部に取り付けられる耐震ガラスユニットパネルであって、枠組みされた下地木材の枠内にガラス板が取り付けられ、前記下地木材と前記ガラス板とが相互に外力を伝達可能に一体化されたことを特徴とする耐震ガラスユニットパネルを提供する。
【００１４】
本発明によれば、耐震ガラスユニットパネルを製造工場にて組み立て、これを現場に搬送して木造建築物の壁面開口部に取り付け、これを釘、木ねじ等を使用して壁面開口部に露出した柱、窓台、小梁等の軸組又は枠組に固定し、耐力壁として構成する。耐震ガラスユニットパネルを構成するガラス板と下地木材とは、相互に外力を伝達可能に一体化されているので、ガラス板の面内剛性をもって壁量を増やすことができる。すなわち、軸組又は枠組に対してガラス板がその面内剛性により力を伝達する。
【００１５】
以上の如く、本発明の耐震ガラスユニットパネルによれば、ガラス板の面内剛性をもって壁量を増やす構造なので耐震性能を有し、また、筋交いを用いない構造なので採光性、透視性、意匠性が向上し、更に、ガラス板と下地木材とからなるユニット品を壁面開口部に取り付けるだけなので、現場での施工性に優れるとともに安定した耐震性能を発揮する。
【００１６】
本発明は、前記ガラス板は、その端面がセッティングブロックを介して、または直接的に、前記下地木材に当接されることにより、前記下地木材と前記ガラス板とが相互に外力を伝達可能に一体化されていることが好ましい。
【００１７】
本発明によれば、下地木材とガラス板とを相互に外力を伝達可能に一体化させるためには、ガラス板の端面を、セッティングブロックを介して、またはガラス板と下地木材とが直接接触するようにして下地木材に当接させる。枠組みされた下地木材から、セッティングブロックを介して、または直接的にガラス板に外力を伝達させることで、ガラス板の面内剛性を利用して耐震性能を発揮する。なお、セッティングブロック、またはガラス板と直接接触する下地木材の部分に、金属製等のカバー部材を設けてもよい。また、ガラス板は、その周辺部が押縁を介して下地木材に固定されていることが好ましい。
【００１８】
本発明は、前記下地木材は四辺形に枠組みされ、その各辺がセッティングブロックを介して、または直接的に前記ガラス板の端面に当接していることが好ましい。
【００１９】
本発明によれば、下地木材の各辺がセッティングブロックを介してガラス板の端面に当接されていても、また、下地木材の各辺が直接的にガラス板の端面に当接されていてもガラス板の面内剛性をもって壁量を増やすことができる。
【００２０】
本発明は、前記下地木材の各辺の接続部には、耐震用金物が取り付けられていることが好ましい。
【００２１】
本発明によれば、下地木材の各辺の接続部に耐震用金物を取り付けることにより、耐震ガラスユニットパネルの耐震性能が更に向上する。
【００２２】
本発明によれば、前記木造建築物の躯体と前記下地木材とが耐震用金物を介して連結されていることが好ましい。
【００２３】
本発明によれば、ガラス板と下地木材とからなる基本構造のユニット品を木造建築物の壁面開口部に取り付けようとした場合、下地木材と躯体（前記壁面開口部を画成する柱、梁等の枠部材）との間には、数ミリ程度の遊び代が通常存在する。したがって、下地木材と躯体とを耐震用金物によって連結固定することにより、地震時にユニット品全体が躯体と一体となって挙動するので、初期段階の微細な振動に対する耐震性能が向上する。
【００２４】
耐震用金物は、下地木材の全ての４辺部に設ける必要はなく、少なくとも１辺部に設ければよい。また、耐震用金物は、下地木材の辺部全長と等しい長尺状物であってもよいが、辺部全長よりも短い短尺状物であってもよく、更に、その短尺状物を下地木材の１辺部において所定の間隔をもって複数配置してもよい。更にまた、下地木材の２辺部のつなぎ目（接続部）を連結するように短尺状物を下地木材の角部に設けてもよい。この耐震用金物は、ユニット品の施工前に下地木材に予め固定しておいてもよく、ユニット品の施工時に、下地木材と躯体とに固定してもよい。また、この耐震用金物と、前述した下地木材の各辺の接続部に取り付ける耐震用金物とを併用してもよい。
【００２５】
本発明は、前記下地木材には、前記ガラス板の室外側に、他のガラス板を装着するサッシフレームが取り付けられていることが好ましい。
【００２６】
本発明によれば、枠組みされた下地木材の枠内に取り付けられたガラス板より室外側に、他のガラス板をサッシフレームを介して下地木材に装着することにより、他のガラス板によって耐震ガラスユニットパネルの水密性、気密性を担保させることができる。よって、耐震性能に加え、水密性、気密性を担保した耐震ガラスユニットパネルを提供できる。他のガラス板を設けず、剛性材料として使用されるガラス板のみを使用した場合、地震等による軽度の揺れや振動によっても、剛性材料として使用されるガラス板と下地木材との間の水密性、気密性が損なわれるおそれがある。
【００２７】
サッシフレームは、耐震ガラスユニットパネルの下地木材に予め固定しておいてもよいが、耐震ガラスユニットパネルを木造建築物の壁面開口部に取り付けたのちに、耐震ガラスユニットパネルの下地木材に後付けしてもよい。
【００２８】
また、サッシフレームは、専用のサッシフレームではなく、市販の汎用のサッシフレームであることが好ましい。更に、前述の如くサッシフレームを後付けすることで、耐震ガラスユニットパネルの輸送、搬送時において、耐震ガラスユニットパネルの破損が低減されるとともに取り扱いが容易となり、更にまた、現場で他の部位のサッシと同時に取り付けることができるので、施工性も向上する。
【００２９】
また、サッシフレームの固定に関しては、サッシフレームに形成されている嵌合部を、耐震ガラスユニットパネルの室外側押縁に形成された嵌合部に嵌合したのち、サッシフレームを木ねじ等によって下地木材に固定することが好ましい。この際、双方の嵌合部のうち少なくとも一方の嵌合部に軟質部材を設け、この軟質部材を介して双方の嵌合部を嵌合させることにより、サッシフレームと室外側押縁の寸法誤差や納まり精度の誤差を吸収することができる。
【発明の効果】
【００３０】
本発明に係る耐震ガラスユニットパネルの発明によれば、ガラス板の面内剛性をもって壁量を増やす構造なので耐震性能を有し、また、筋交いを用いない構造なので採光性、透視性、意匠性が向上し、更に、ガラス板と下地木材とからなるユニット品を壁面開口部に取り付けるだけなので、現場での施工性に優れるとともに安定した耐震性能を発揮する。
【発明を実施するための最良の形態】
【００３１】
以下、添付図面に従って本発明に係る耐震ガラスユニットパネルの好ましい実施の形態について詳説する。
【００３２】
図１は、第１の実施の形態の耐震ガラスユニットパネル１０がその１階部分の壁面に取り付けられた木造住宅（木造建築物）１２の全体斜視図である。また、図２には、木造住宅１２の壁面開口部１４に対する耐震ガラスユニットパネル１０の施工例を示す斜視図が示されている。更に、図３は壁面開口部１４に取り付けられた耐震ガラスユニットパネル１０の縦断面図、図４は壁面開口部１４に取り付けられた耐震ガラスユニットパネル１０の横断面図である。また、図５は、耐震ガラスユニットパネル１０を室内側から見た背面図である。
【００３３】
耐震ガラスユニットパネル１０が取り付けられる壁面開口部１４は、図２に示すように上部の小梁１６、下部の窓台１８と左右両側の柱２０、２２とによって矩形状に画成されている。また、図２によれば、小梁１６と大梁２４と左右両側の柱２０、２２とによって画成される矩形状の壁面開口部２６に矩形状の構造用合板２８が図３の如く釘３０によって固定される。更に、図２の窓台１８と土台３４と左右両側の柱２０、２２とによって画成される矩形状の壁面開口部３６に矩形状の構造用合板３８が図３の如く釘４０によって固定される。これにより、柱２０、２２と大梁２４と土台３４とによって囲まれた壁面開口部に耐力壁が構成される。
【００３４】
耐震ガラスユニットパネル１０は、図３〜図５に示すように、上横材４８Ａ、縦材４８Ｂ、４８Ｃ、下横材４８Ｄを用いて四辺形に枠組みされた下地木材４８の内側に、下地木材４８の各辺部がセッティングブロック４６、４６…を介して矩形状のガラス板４４の各辺の端面に当接するように構成され、ガラス板４４と下地木材４８とが相互に外力を伝達可能に一体化されている。
【００３５】
また、この耐震ガラスユニットパネル１０には、図５の如く下地木材４８の各辺（４８Ａ、４８Ｂ、４８Ｃ、４８Ｄ）の接続部（下地木材４８のコーナー部）にＬ字形状の耐震用金物５０がボルト５２、５２を介して固定され、下地木材４８と耐震用金物５０、５０…とが一体化されている。なお、耐震用金物５０の形状はＬ字形状に限定されるものではないが、前記接続部に取り付ける取付性の観点からＬ字形状が好ましい。
【００３６】
下地木材４８は上横材４８Ａ、２本の縦材４８Ｂ、４８Ｃ、及び下横材４８Ｄからなる。これらの４本の木材４８Ａ〜４８Ｄを枠状に組み付けて端部を接合することにより、下地木材４８が構成される。そして、下地木材４８の上横材４８Ａには、図３の如く枠状の構造用合板５４の上辺部５４Ａが釘５６によって固定され、この上辺部５４Ａが釘３２によって小梁１６に固定される。また、下地木材４８の縦材４８Ｂ、４８Ｃには、図４の如く構造用合板５４の縦辺部５４Ｂ、５４Ｃが釘５７、５７によって固定され、この縦辺部５４Ｂ、５４Ｃが釘５８、５８によって柱２０、２２に固定される。更に、下地木材４８の下横材４８Ｄには、図３の如く構造用合板５４の下辺部５４Ｄが釘５９によって固定され、この下辺部５４Ｄが釘４２によって窓台１８に固定される。これにより、耐震ガラスユニットパネル１０が構造用合板５４を介して壁面開口部１４に固定される。
【００３７】
耐震ガラスユニットパネル１０のガラス板４４は、図３〜図５に示すように、その周辺部が、表裏両面から一対の押縁６０、６０に挟持されるとともに、これらの押縁６０、６０を介して下地木材４８に固定されている。すなわち、各押縁６０は、上押縁６０Ａ、縦押縁６０Ｂ、６０Ｃ、及び下押縁６０Ｄから構成され、これらの４本の押縁６０Ａ〜６０Ｄを枠状に組み付けて端部を接合することにより、押縁６０が構成される。そして、上押縁６０Ａは、図３の如く木ねじ６２によって上横材４８Ａに固定され、縦押縁６０Ｂ、６０Ｃは、図４の如く木ねじ６４によって縦材４８Ｂ、４８Ｃに固定され、下押縁６０Ｄは、図３の如く木ねじ６６によって下横材４８Ｄに固定される。これにより、押縁６０が下地木材４８に固定される。
【００３８】
また、耐震ガラスユニットパネル１０には防水シート６８が取り付けられている。この防水シート６８は、構造用合板５４Ｂ、５４Ｃにタッカー止め等で取り付けられるとともに、室外側の下押縁６０Ｄと下横材４８Ｄとの間にも折り返して下横材４８Ｄの天面にタッカー止めなどにより取り付けられることにより、下地木材の防水処理が施されている。
【００３９】
次に、前記の如く構成された耐震ガラスユニットパネル１０の特徴について説明する。
【００４０】
第１の実施の形態の耐震ガラスユニットパネル１０は、実質的にガラス板４４と下地木材４８とからなるユニット品であり、これを製造工場にて組み立てて現場に搬送し、木造住宅１２の壁面開口部１４に取り付ける。そして、この耐震ガラスユニットパネル１０を釘３２、４２、５８を使用して壁面開口部１４に露出した小梁１６、窓台１８、柱２０、２２に固定し、耐力壁として構成する。耐震ガラスユニットパネル１０を構成するガラス板４４と下地木材４８は、相互に外力を伝達可能に一体化されているので、ガラス板４４の面内剛性をもって壁量を増やすことができる。すなわち、小梁１６、窓台１８、柱２０、２２に対してガラス板４４がその面内剛性により力を伝達することができる。
【００４１】
以上の如く、実施の形態の耐震ガラスユニットパネル１０によれば、ガラス板４４の面内剛性をもって壁量を増やす構造なので耐震性能を有し、また、筋交いを用いない構造なので採光性、透視性、意匠性が向上し、更に、ガラス板４４と下地木材４８とからなるユニット品を現場にて壁面開口部１４に取り付けるだけなので、現場での施工性に優れるとともに安定した耐震性能を発揮する。
【００４２】
また、第１の実施の形態の耐震ガラスユニットパネル１０は、ガラス板４４と下地木材４８とをセッティングブロック４６を介して当接させたが、これに限定されるものではなく、ガラス板４４の端面を下地木材４８に直接当接させることにより、ガラス板４４と下地木材４８とを相互に外力を伝達可能に一体化してもよい。
【００４３】
なお、耐震ガラスユニットパネル１０としての必須の構成はガラス板４４と下地木材４８であり、耐震用金物５０、構造用合板５４、押縁６０、及び防水シート６８は必須の構成ではない。すなわち、構造用合板５４を用いなくても、下地木材４８を小梁１６、窓台１８、柱２０、２２に直接固定することにより耐震ガラスユニットパネル１０を壁面開口部１４に取り付けることができる。耐震用金物５０、押縁６０、防水シート６８を備えなくとも耐震ガラスユニットパネル１０の上記効果を有するが、耐震用金物５０、押縁６０を備えることにより下記の効果を得ることができるので好ましい。
【００４４】
すなわち、下地木材４８の各辺（４８Ａ、４８Ｂ、４８Ｃ、４８Ｄ）の接続部（下地木材４８のコーナー部）にＬ字形状の耐震用金物５０を取り付けることにより、耐震ガラスユニットパネル１０の耐震性能が更に向上するので好ましい。また、押縁６０を使用してガラス板４４の周辺部を下地木材４８に固定すると、押縁６０によってセッティングブロック４６やガラス板４４と下地木材４８との当接面を隠すことができ、耐震ガラスユニットパネル１０の意匠性が向上するので好ましい。
【００４５】
図６は、図２に示した耐震ガラスユニットパネル１０の室外側にサッシフレーム７０が設けられた第２の実施の形態の耐震ガラスユニットパネル１００の縦断面図であり、図７は、耐震ガラスユニットパネル１００の施工例を示した縦断面図である。
【００４６】
耐震ガラスユニットパネル１００のサッシフレーム７０は、例えばアルミニウム製の押出成型品であり、その取付用孔（不図示）に挿入された釘５６、５９を利用して下地木材４８に固定されている。このサッシフレーム７０には、複層ガラス７２が嵌め込まれている。複層ガラス７２は、スペーサ７４を介して２枚のガラス板７６、７６を離間して配置するとともに、その周部にシーリング材を打設して構成された中空密閉構造の周知のガラス製品である。また、複層ガラス７２の室外側のガラス板７６は、中間膜を２枚のガラス板で挟持してなる合せガラスが適用されている。
【００４７】
この耐震ガラスユニットパネル１００においても、製造工場で組み立てられて現場に搬送され、図７の如く木造住宅の壁面開口部１４に釘３２、４２によって固定される。この固定方法は、耐震ガラスユニットパネル１０と同様である。また、サッシフレーム７０に装着された複層ガラス７２は層間変位に追従可能なため、耐震ガラスユニットパネル１００の水密性、気密性が担保され、耐震ガラスユニットパネル１０のガラス板４４の面内剛性によって耐震性能が発揮される。よって、水密性、気密性が担保された耐震ガラスユニットパネル１００となる。
【００４８】
なお、サッシフレーム７０に装着される他のガラス板は複層ガラス７２に限定されるものではなく、単板のガラス板、合せガラス、防火ガラス等のガラス板であってもよい。また、他のガラス板は、ガラス板４４がはめ殺し窓であるため、同様にはめ殺し窓が好適である。更に、本発明の耐震ガラスユニットパネルの適用範囲は、ガラス板４４の室内側に、防火ガラスをさらに別に設け、この防火ガラスもガラス板４４と同様に下地木材４８に固定した構造の耐震ガラスユニットパネルをも含む。
【００４９】
図８は、押縁をアルミニウム製のサッシフレーム７８によって構成した第３の実施の形態の耐震ガラスユニットパネル１１０の縦断面図である。
【００５０】
同図に示すように、サッシフレーム７８は木ねじ８０、８０…によって下地木材４８に密着固定され、また、サッシフレーム７８の内側のガラス保持溝８２にはガラス板４４がセッティングブロック４６を介して下地木材４８に当接している。したがって、この耐震ガラスユニットパネル１１０も、ガラス板４４と下地木材４８とが相互に外力を伝達可能に一体化されており、耐力壁を構成できる構造となっている。
【００５１】
なお、サッシフレーム７８は、複数の押出成型品をそれぞれの嵌合部で嵌合させることにより構成され、また、サッシフレーム７０もサッシフレーム７８にそれぞれの嵌合部で嵌合されて組み付けられている。
【００５２】
図９（Ａ）〜（Ｆ）には、耐震ガラスユニットパネル１０Ａ〜１０Ｆの複数のバリエーションが示されている。同図に示す耐震ガラスユニットパネル１０Ａ〜１０Ｆは、ユニット幅が１Ｐ（９１０ｍｍ）の形態をそれぞれ例示しているが、２Ｐの形態であっても構わない。
【００５３】
図９（Ａ）に示す耐震ガラスユニットパネル１０Ａは、柱２０、２２の中央部に設置された柱２１と、柱２０、小梁１６、及び土台３４によって画成された壁面開口部に取り付けられた形態である。図９（Ｂ）に示す耐震ガラスユニットパネル１０Ｂは、柱２１、柱２０、小梁１６、及び窓台１８によって画成された壁面開口部に取り付けられた形態である。図９（Ｃ）に示す耐震ガラスユニットパネル１０Ｃは、柱２０、柱２２、小梁１６、及び窓台１８によって画成された壁面開口部に取り付けられた形態であり、図２に示した耐震ガラスユニットパネル１０と類似する。図９（Ｄ）に示す耐震ガラスユニットパネル１０Ｄは、上下方向に間隔をもって２ユニット配置されており、上方の耐震ガラスユニットパネル１０Ｄは、柱２０、柱２２、小梁１６、及び窓台１８によって画成された壁面開口部に取り付けられた形態であり、下方の耐震ガラスユニットパネル１０Ｄは、柱２０、柱２２、小梁１７、及び土台３４上に設置された窓台１９によって画成された壁面開口部に取り付けられた形態である。図９（Ｅ）に示す耐震ガラスユニットパネル１０Ｅは、柱２０、柱２２、小梁１６、及び土台３４によって画成された壁面開口部に取り付けられた形態である。また、図９（Ｆ）に示す耐震ガラスユニットパネル１０Ｆは、柱２０、柱２２、大梁２６、及び土台３４によって画成された壁面開口部に取り付けられた形態である。この耐震ガラスユニットパネル１０Ｆは、１階と２階が吹き抜け構造の建築物の場合に好適である。
【００５４】
図１０〜図１３には、第４の実施の形態の耐震ガラスユニットパネル１２０が示され、図１〜図５に示した第１の実施の形態の耐震ガラスユニットパネル１０と同一又は類似の部材については同一の符号を付し、その説明は省略する。
【００５５】
図１０（Ａ）は、第４の実施の形態の耐震ガラスユニットパネル１２０を室内側から見た背面図、図１０（Ｂ）は（Ａ）に示した耐震ガラスユニットパネル１２０の要部側面図である。また、図１１は、図１０に示した耐震ガラスユニットパネル１２０の縦断面図であり、図１２は、図１０に示した耐震ガラスユニットパネル１２０の横断面図、更に、図１３は、図１０に示した耐震ガラスユニットパネル１２０の施工例を示した断面図である。
【００５６】
第４の実施の形態の耐震ガラスユニットパネル１２０は、ガラス板４４と下地木材４８とからなる基本構造のユニット品において、その下地木材４８の各辺（４８Ａ、４８Ｂ、４８Ｃ、４８Ｄ）を、壁面開口部１４を画成する小梁１６、窓台１８、及び柱２０、２２に対し、各１辺において２個の耐震用金物１２２、１２２を介して固定することにより構成された耐震ガラスユニットパネルである。なお、以下の説明において、壁面開口部１４を画成するための小梁１６、窓台１８、及び柱２０、２２からなる枠部材を躯体として定義する。
【００５７】
耐震用金物１２２は図１１、図１２に示すように断面略Ｌ字状の金物であり、底部が木ねじ１２４、１２４によって下地木材４８の各辺（４８Ａ、４８Ｂ、４８Ｃ、４８Ｄ）に固定され、傾斜部が木ねじ１２６、１２６によって躯体（小梁１６、窓台１８、及び柱２０、２２）に固定されている。これにより、基本構造のユニット品が耐震用金物１２２、１２２…を介して躯体に固定され、第４の実施の形態の耐震ガラスユニットパネル１２０が構成される。なお、木ねじ１２６は、ドライバによる木ねじ１２６の締結時に、ドライバが内側の押縁６０に当たらないように、押縁６０を避けるように斜め方向に躯体に締結される。
【００５８】
前記基本構造のユニット品を壁面開口部１４に取り付けようとした場合、下地木材４８と前記躯体との間には、約１〜２ｍｍ程度の遊び代が通常存在する。したがって、下地木材４８と前記躯体とを耐震用金物１２２、１２２…によって連結固定することにより、地震時にユニット品全体が躯体と一体となって挙動するので、初期段階の微細な振動に対する耐震性能が向上する。
【００５９】
耐震用金物１２２は、下地木材４８の全ての４辺部に設ける必要はなく、少なくとも１辺部に設ければよい。また、実施の形態の耐震用金物１２２は、下地木材４８の辺部全長よりも短い短尺状物であって、１辺部において所定の間隔をもって２個配置されているが、個数及び配置位置も図１０（Ａ）の例に限定されるものではない。更に、短尺状の耐震用金物１２２に代えて、下地木材４８の辺部全長と等しい１本の長尺状の耐震用金物を使用してもよい。更にまた、図１０（Ａ）の右下の耐震用金物１２２の如く、下地木材４８の２辺部のつなぎ目（接続部）を連結するように下地木材４８の角部に耐震用金物１２２を配置してもよい。
【００６０】
耐震用金物１２２は、下地木材４８に予め固定しておいてもよいが、ガラス板４４と下地木材４８とからなるユニット品を壁面開口部１４に配置したのち、下地木材４８と躯体とに固定することが好ましい。また、この耐震ガラスユニットパネル１２０の下地木材４８の各辺部の接続部に、図５に示した耐震用金物５０を固定すれば、初期段階の微細な振動から幅広い振動に対する耐震性能を満足することができる。
【００６１】
一方、この耐震ガラスユニットパネル１２０の室外側には、図１１〜図１３に示すようにガラス板１３０が取り付けられたサッシフレーム１３２が装着される。また、耐震ガラスユニットパネル１２０の外側の押縁１３４は、塩化ビニル等の樹脂押出材で構成され、木ねじ１３６、１３６…によって下地木材４８に密着固定されている。
【００６２】
押縁１３４の室外側面には図１３の如く、嵌合凹部（嵌合部）１３８が枠状の押縁１３４に沿って形成されている。この嵌合凹部１３８に、サッシフレーム１３２の枠状の嵌合凸部（嵌合部）１４０を嵌め込むことにより、押縁１３４にサッシフレーム１３２が装着される。また、押縁１３４の嵌合凹部１３８を形成する内側フレーム１３５の端部には、ゴム等の軟質部材１４２が固着されている。この軟質部材１４２は、帯状に形成されており、嵌合凹部１３８に向けて傾斜して取り付けられている。よって、サッシフレーム１３２の嵌合凸部１４０は、嵌合凹部１３８への挿入時に軟質部材１４２が邪魔にならず嵌合凹部１３８へ挿入されていき、軟質部材１４２を介して嵌合凹部１３８に嵌合される。したがって、軟質部材１４２の弾性により、サッシフレーム１３２と押縁１３４の寸法誤差や納まり精度の誤差が吸収される。なお、軟質部材１４２をサッシフレーム１３２の嵌合凸部１４０側に設け、嵌合凹部１３８との間で上記誤差吸収作用を生じさせてもよい。
【００６３】
そして、サッシフレーム１３２は、例えばアルミニウム製の押出成型品であり、その取付用孔（不図示）に挿入された木ねじ１４４、１４４…を利用して下地木材４８に固定される。このサッシフレーム１３２には、単板のガラス板１３０が嵌め込まれているが、単板のガラス板１３０に限定されるものではなく、合せガラス、複層ガラス等、各種形態のガラス板を使用できる。
【００６４】
サッシフレーム１３２は、耐震ガラスユニットパネル１２０の下地木材４８に予め取り付けておいてもよいが、耐震ガラスユニットパネル１２０を壁面開口部１４に取り付けた後に、耐震ガラスユニットパネル１２０に後付けしてもよい。
【００６５】
また、サッシフレーム１３２は、専用のサッシフレームではなく、市販の汎用のサッシフレームであることが好ましい。更に、前述の如くサッシフレーム１３２を後付けすることで、耐震ガラスユニットパネル１２０の輸送、搬送時において、耐震ガラスユニットパネル１２０の破損が低減されるとともに取り扱いが容易となり、また、現場で他の部位のサッシと同時に取り付けることができるので、施工性も向上する。
【００６６】
なお、本発明は、上記実施の形態に限定されるものではなく、本発明の要旨を逸脱しない範囲での種々の設計変更等が可能である。例えば、上記実施例では、矩形状のガラス板４４に限定して説明したが、下地木材４８の内側を四辺形以外の多角形状やリング状に構成可能であれば、その形状に対応したガラス板を用いた耐震ガラスユニットパネルとすることもできる。また、矩形状のガラス板の角部を切り落とした（いわゆるコーナーカット）ものを、四辺形に枠組みされた下地木材の枠内に取り付けてもよい。ガラス板４４としては、単板のガラス板のほか、合せガラス、複層ガラス等、各種形態のガラス板を使用でき、通常のフロート板ガラス（いわゆる生板ガラス）であっても、強化ガラス、倍強度ガラスであってもよい。また、ガラス板４４の端部は、面取り加工や研磨加工の有無を問わない。
【図面の簡単な説明】
【００６７】
【図１】第１の実施の形態の耐震ガラスユニットパネルがその壁面に取り付けられた木造住宅の全体斜視図
【図２】木造住宅の壁面開口部に対する耐震ガラスユニットパネルの施工例を示す斜視図
【図３】壁面開口部に取り付けられた耐震ガラスユニットパネルの縦断面図
【図４】壁面開口部に取り付けられた耐震ガラスユニットパネルの横断面図
【図５】耐震ガラスユニットパネルの背面図
【図６】サッシフレームが取り付けられた第２の実施の形態の耐震ガラスユニットパネルの縦断面図
【図７】図６に示した耐震ガラスユニットパネルの施工例を示す縦断面図
【図８】押縁がサッシフレームで構成された第３の実施の形態の耐震ガラスユニットパネルの縦断面図
【図９】耐震ガラスユニットパネルの複数のバリエーションを示した説明図
【図１０】（Ａ）は第４の実施の形態の耐震ガラスユニットパネルを室内側から見た背面図、（Ｂ）は（Ａ）に示した耐震ガラスユニットパネルの要部側面図
【図１１】図１０に示した耐震ガラスユニットパネルの縦断面図
【図１２】図１０に示した耐震ガラスユニットパネルの横断面図
【図１３】図１０に示した耐震ガラスユニットパネルの施工例を示した断面図
【符号の説明】
【００６８】
１０…耐震ガラスユニットパネル、１０Ａ〜１０Ｆ…耐震ガラスユニットパネル、１２…木造住宅、１４…壁面開口部、１６、１７…小梁、１８、１９…窓台、２０、２１、２２…柱、２４…大梁、２６…壁面開口部、２８…構造用合板、３０…釘、３２…釘、３４…土台、３６…壁面開口部、３８…構造用合板、４０…釘、４２…釘、４４…ガラス板、４６…セッティングブロック、４８…下地木材、４８Ａ…上横材、４８Ｂ、４８Ｃ…縦材、４８Ｄ…下横材、５０…耐震用金物、５２…ボルト、５４…構造用合板、５４Ａ…上辺部、５４Ｂ、５４Ｃ…縦辺部、５４Ｄ…下辺部、５６…釘、５７…釘、５８…釘、５９…釘、６０…押縁、６０Ａ…上押縁、６０Ｂ、６０Ｃ…縦押縁、６０Ｄ…下押縁、６２…木ねじ、６４…木ねじ、６６…木ねじ、６８…防水シート、７０…サッシフレーム、７２…複層ガラス、７４…スペーサ、７６…ガラス板、７８…サッシフレーム、８０…木ねじ、８２…ガラス保持溝、１００…耐震ガラスユニットパネル、１１０…耐震ガラスユニットパネル、１２０…耐震ガラスユニットパネル、１２２…耐震用金物、１２４…木ねじ、１２６…木ねじ、１３０…ガラス板、１３２…サッシフレーム、１３４…押縁、１３６…木ねじ、１３８…嵌合凹部、１４０…嵌合凸部、１４２…軟質部材、１４４…木ねじ
【図１】
2009293367.tif 000003
【図２】
2009293367.tif 000004
【図３】
2009293367.tif 000005
【図４】
2009293367.tif 000006
【図５】
2009293367.tif 000007
【図６】
2009293367.tif 000008
【図７】
2009293367.tif 000009
【図８】
2009293367.tif 000010
【図９】
2009293367.tif 000011
【図１０】
2009293367.tif 000012
【図１１】
2009293367.tif 000013
【図１２】
2009293367.tif 000014
【図１３】
2009293367.tif 000015